(57)【要約】【課題】ペイントや絵具等の含みが非常に良く、かつ先端部分のみを先割加工及び枝割れ加工でき、しかも先細にして使い勝手の良いものとすることができる。【解決手段】熱可塑性重合体からなるナイロン、ポリエステル系等の繊維材料にて断面形状が複数個に分割可能な充填部２と、複数の大きな空隙部３と、小さな空隙部４とを包含した繊維毛１ａとし、この繊維毛１ａの先端部分を分解液に浸漬して、テーパ形状とすると共に、このテーパ形状の先端部分を４〜１５本に先割し、この先割された各先端部分を複数の枝割れ状態とする構成としている。【選択図】        図１
2004255113.tif 000002
【特許請求の範囲】
【請求項１】
熱可塑性重合体からなるナイロン、ポリエステル系等の繊維材料にて断面形状が複数個に分割可能な充填部（２）と、複数の大きな空隙部（３）と、小さな空隙部（４）とを包含した繊維毛（１ａ）とし、この繊維毛（１ａ）の先端部分を分解液に浸漬して、テーパ形状とすると共に、このテーパ形状の先端部分を４〜１５本に先割し、この先割された各先端部分を複数の枝割れ状態とすることを特徴としたブラシ用毛。
【発明の詳細な説明】
【０００１】
【発明の属する技術分野】
本発明は、化粧用刷毛ブラシ、塗装用刷毛ブラシ、筆、その他のブラシ等に用いられるブラシ用毛に関するものである。
【０００２】
【従来の技術】
従来、化粧用、塗装用刷毛ブラシのブラシ用毛の原料として羊毛、馬毛、豚毛等の獣毛を手作業で束ねて、針金又は、紐等で結び、必要に応じてその断面を所定の形状に成型して製造していた。
しかし、この獣毛の品質や供給量等の安定性の面、又、獣毛処理における衛生的環境上の問題に対する面等から代替として熱可塑性重合体の合成繊維毛が多量に使用されつつある。
【０００３】
【発明が解決しようとする課題】
ところが、この合成繊維毛は断面形状を円形、楕円形、三角形、Ｙ字形、扁平状、十字形、変形十字形、四葉形、歯車形等として応用し、毛先を細く尖らして複数本を束ねて加工処理し、使用するものがあるが、表面が滑らかすぎて、水洗浄が容易である反面ベイントや絵具等の含みが非常に悪く、刷毛、筆等各種ブラシとして有効に利用することができなかった。
それ故、この合成繊維毛の断面形状を円形中空形、多孔中空体形としたものが開発されているが、表面が滑らかであり、獣毛に類似の先細で複数に分かれたブラシ用毛とならず、使い勝手が悪く、刷毛、筆等各種ブラシとして不適切であるという問題点があった。
【０００４】
そこで、本発明は、ペイントや絵具等の含みが非常に良く、かつ先端部分のみを先割加工及び枝割れ加工でき、しかも先細にして使い勝手の良いブラシ用毛を提供するにある。
【０００５】
【課題を解決するための手段】
上記目的を達成するために、本発明のブラシ用毛は熱可塑性重合体からなるナイロン、ポリエステル系等の繊維材料にて断面形状が複数個に分割可能な充填部２と、複数の大きな空隙部３と、小さな空隙部４とを包含した繊維毛１ａとし、この繊維毛１ａの先端部分を分解液に浸漬して、テーパ形状とすると共に、このテーパ形状の先端部分を４〜１５本に先割し、この先割された各先端部分を複数の枝割れ状態とする構成としている。
【０００６】
【発明の実施の形態】
以下、本発明の実施例を図に基づき説明する。
図中、図１は本発明実施例の縦断面図、図２は本発明実施例の側面図の模式図、図３は本発明の他の実施例を示す図である。
【０００７】
ブラシ用毛１はナイロン及びポリブチレンテレフタレート、ポリエチレンテレフタレートのポリエステル系の熱可塑性重合体からなる繊維を材料としている。このブラシ用毛１は図１、図３に示すように、断面形状が複数個に分割可能な充填部２と、複数の大きな空隙部３と、小さな空隙部４とを包含した繊維毛１ａであって、この充填部２を４〜１５個の複数個に分割可能に形成している。
【０００８】
この充填部２と隣り合わせの充填部２とは極めて薄い空間の融着部５で分離され、表面に近い空間の薄い融着部５が充填部２と隣り合わせの充填部２とをつなげている。この充填部２と充填部２との間には大きな空隙部３を設け、充填部２内には小さな空隙部４を複数設けている。このブラシ用毛１の大きな空隙部３と、小さな空隙部４との空隙率は約２０％〜６０％である。この空隙率を低くすると後述の分解液により浸漬後の先割加工が先端部分のほんのわずかにとどめられるか又は、先割加工できないこととなり、又高くすると先端の先割れ加工が起点となって根本部分まで裂けてしまい目的のブラシ用毛が得られなくなる。
【０００９】
このブラシ用毛１は材料を高温でフィラメント状に押出し、急冷後延伸して製造する。
このフィラメント状に押出す際に口金を通じて、図１に示すような断面形状に成形しているが、口金の形状によって図３に示すように充填部２を６個にしたＹ字型異形状とすることも可能で、断面形状を円形、楕円形、三角形、Ｙ字形、扁平状、十字形、変形十字形、四葉形、歯車形、円形中空形、多孔中空体形とすることも可能である。
【００１０】
押出成形されたブラシ用毛１は、所定の長さに切断された後、複数本が束ねられ、先端部分が合わされて一束となる。
この一束の先端部分を分解液中に漬ける。この分解液はナイロン、ポリエステル系繊維を加水分解しうるものであって、アルカリ金属水酸化物、エチルアミン等のアミン類、酸類である。
【００１１】
この分解剤液中に浸漬された一束のブラシ用毛１の先端部分は図２に示すように、除々に加水分解していき、テ−パ状先細となると共に、融着部５部分が離れ、加水分解した充填部２と、隣り合わせの充填部２とが分離して、先割加工状態となると同時に各充填部２の複数の小さな空隙部４にて先端に向けて枝割れ加工状態となる。この先割加工状態及び枝割れ加工状態となった先端部分が分解液中より取り出す途中に薄く固まった状態で分解液中より取り出され洗浄される。更に、この取り出されたブラシ用毛１の薄く固まった先端部分を針布、バインダー加工することによって先割加工状態及び枝割れ加工状態にときほぐすことができる。このとき先割加工状態及び枝割れ加工状態となった先端部分全てがテーパ状となっている。
【００１２】
この分解液中に浸漬する処理条件によってテーパの状態及び先割加工、枝割れ加工の長さと種々異なってくる。
このようにしてブラシ用毛１は、図１に示すように内殻と外殻とを有する繊維毛１ａでありながら、先端に向かってテーパ状の先細となり、更に、その先端を先割加工及び枝割れ加工し、この各先割加工及び枝割れ加工した部分がそれぞれテーパ状に先細となっている。
【００１３】
この先割加工及び枝割れ加工は口金によって図３に示すように３〜６本に先割分割することができる。このブラシ用毛１は充填部２内の複数の小さな空隙部４を少なくして、枝割れ加工状態をより少なくすることも可能である。
【００１４】
以上、本発明の代表例と思われる実施例について説明したが、本発明は必ずしもこれらの実施例構造のみに限定されるものではなく、本発明にいう前記の構成要件を備え、かつ、本発明にいう目的を達成し、以下にいう効果を有する範囲内において適宜改変して実施することができるものである。
【００１５】
【発明の効果】
以上の説明から明らかなように、本発明にいうところのブラシ用毛は熱可塑性重合体からなるナイロン、ポリエステル系等の繊維材料にて断面形状が複数個に分割可能な充填部と、複数の大きな空隙部と、小さな空隙部とを包含した繊維毛とし、この繊維毛の先端部分を分解液に浸漬して、テーパ形状とすると共に、このテーパ形状の先端部分を４〜１５本に先割し、この先割された各先端部分を複数の枝割れ状態とする構成としているものであるから、ペイントや絵具等の含みが非常に良く、かつ先端部分のみを先割加工及び枝割れ加工でき、しかも先細にして使い勝手の良いものとするという顕著な効果を期待することができるに至ったのである。
【図面の簡単な説明】
【図１】本発明実施例の縦断面図。
【図２】本発明実施例の側面図の模式図。
【図３】本発明の他の実施例を示す図。
【符号の説明】
１…ブラシ用毛
１ａ…繊維毛
２…充填部
３…大きな空隙部
４…小さな空隙部
５…融着部
【図１】
2004255113.tif 000003
【図２】
2004255113.tif 000004
【図３】
2004255113.tif 000005